(57)【要約】  マルチメディアブロードキャストマルチキャストサービスの実現方法、ホーム基地局、ホーム基地局のネットワーク管理システム及びユーザ装置が提供される。該方法は、ホームネットワーク側実体がマクロセルのマルチメディアブロードキャストマルチキャストサービス（MBMS）構成情報を取得し、該マクロセルのMBMS構成情報は第一MBMS構成情報を含み；及び、取得した第一MBMS構成情報に基いて、限定加入者グループ（CSG）セルの、該マクロセルのMBSFNサブフレームの位置とは同じ位置上のサブフレームを、第一オールモストブランクサブフレーム（ABS）として構成し、又は、第一オールモストブランクサブフレーム（ABS）及びマルチメディアブロードキャストマルチキャストシングル周波数ネットワーク（MBSFN）サブフレームとして構成することを含む。
2014532339.tif 000002
【特許請求の範囲】
【請求項１】
マルチメディアブロードキャストマルチキャストサービスの実現方法であって、
ホームネットワーク側実体が、マクロセルのマルチメディアブロードキャストマルチキャストサービス（MBMS)構成情報を取得し、前記マクロセルのMBMS構成情報は、第一MBMS構成情報を含み、前記第一MBMS構成情報は、マクロセルにおけるマルチメディアブロードキャストマルチキャストシングル周波数ネットワーク（MBSFN)サブフレームの位置情報を含み；及び
取得した前記第一MBMS構成情報に基いて、限定加入者グループ（CSG)セルの、前記マクロセルのMBSFNサブフレームの位置とは同じ位置上のサブフレームを、第一オールモストブランクサブフレーム（ABS)として構成し、又は、第一オールモストブランクサブフレーム（ABS)及びマルチメディアブロードキャストマルチキャストシングル周波数ネットワーク（MBSFN)サブフレームとして構成し、前記ユーザ装置が前記マクロセルのマルチメディアブロードキャストマルチキャストサービスを受信できるようにさせる、ことを含む、方法。
【請求項２】
請求項1に記載の方法であって、
前記MBMS構成情報は、第二MBMS構成情報を更に含み、前記第二MBMS構成情報は、
MBMS制御チャネル構成変更指示情報、MBMS制御チャネル構成情報、MBMS制御チャネルに送信するMBMSデータ受信用の物理ブロードキャストマルチキャストチャネルの関連情報を含むMBSFN領域構成情報、関連システム情報のスケジューリング情報、及びページングに関する情報のうちの１つ以上を含む、方法。
【請求項３】
請求項1又は2に記載の方法であって、
前記ホームネットワーク側実体は、マクロセル又は前記CSGセルのユーザ装置から前記マクロセルのMBMS構成情報を取得する、方法。
【請求項４】
請求項1又は2に記載の方法であって、
前記ホームネットワーク側実体は、ホーム基地局のネットワーク管理システム（0AM)であり、
前記ホームネットワーク側実体がマクロセルのMBMS構成情報を取得することは、
前記ホーム基地局の0AMは、マクロ基地局の0AMによって、マクロ基地局が送信した、前記MBMS構成情報を含む第一構成更新メッセージを受信することを含み、
又は、
前記ホームネットワーク側実体がマクロセルのMBMS構成情報を取得することは、
前記ホーム基地局の0AMが、マクロ基地局の0AMに、MBMS構成情報を取得するための第一リクエストメッセージを送信し、及び
前記マクロ基地局の0AMが前記第一リクエストメッセージに基いて返した、前記マクロ基地局から取得した、前記MBMS構成情報を含む第一レスポンスメッセージを受信することを含み、
又は、
前記ホームネットワーク側実体がマクロセルのMBMS構成情報を取得することは、
前記ホーム基地局の0AMが、ホーム基地局から送信した第一サブフレーム構成リクエストメッセージを受信し、
前記ホーム基地局の0AMが、前記第一サブフレーム構成リクエストメッセージに基いて、マクロ基地局の0AMに、MBMS構成情報を取得するための第二リクエストメッセージを送信し、及び
前記マクロ基地局の0AMが前記第二リクエストメッセージに基いて返した、前記マクロ基地局から取得した、前記MBMS構成情報を含む第二レスポンスメッセージを受信することを含む、方法。
【請求項５】
請求項1又は2に記載の方法であって、
前記ホームネットワーク側実体がホーム基地局の0AMである時に、前記方法は、更に、
前記ホーム基地局の0AMは、構成した前記第一オールモストブランクサブフレーム（ABS)、又は、第一オールモストブランクサブフレーム（ABS)及びマルチメディアブロードキャストマルチキャストシングル周波数ネットワーク（MBSFN)サブフレームの位置情報をホーム基地局に送信し、前記ホーム基地局に、ホーム基地局のユーザ装置に通知させることを含む、方法。
【請求項６】
請求項2に記載の方法であって、
在前記ホームネットワーク側実体がホーム基地局の0AMである時に、前記方法は、更に、
取得した前記第二MBMS構成情報に基いて、限定加入者グループ（CSG)セルの、前記マクロセルが前記第二MBMS構成情報を送信するサブフレーム位置とは同じ位置上のサブフレーム構成を、第二オールモストブランクサブフレーム（ABS）として構成し、又は、第二オールモストブランクサブフレーム（ABS)及びマルチメディアブロードキャストマルチキャストシングル周波数ネットワーク（MBSFN)サブフレームとして構成し、及び
構成した前記第二ABS、又は、第二ABS及びMBSFNサブフレームの位置情報をホーム基地局に送信し、前記ホーム基地局によってホーム基地局のユーザ装置に通知し、前記ユーザ装置に、前記マクロセルから前記第二MBMS構成情報を受信できるようにさせることを含む、方法。
【請求項７】
請求項1又は2に記載の方法であって、
前記ホームネットワーク側実体がホーム基地局であり、
前記ホームネットワーク側実体がマクロセルのMBMS構成情報を取得することは、
前記ホーム基地局が、マクロ基地局から送信した、前記MBMS構成情報を含む第二構成更新メッセージを受信することを含み、
又は、
前記ホームネットワーク側実体がマクロセルのMBMS構成情報を取得することは、
前記ホーム基地局が、マクロ基地局に、MBMS構成情報を取得するための第三リクエストメッセージを送信し、及び
前記マクロ基地局が前記第三リクエストメッセージに基いて返した、MBMS構成情報を含む第三レスポンスメッセージを受信することを含み、
又は、
前記ホームネットワーク側実体がマクロセルのMBMS構成情報を取得することは、
前記ホーム基地局が、ホーム基地局のユーザ装置に、MBMS構成情報を取得するための第四リクエストメッセージを送信し、及び
前記ユーザ装置が前記第四リクエストメッセージに基いて返した、監視測定した前記マクロセルのMBMS構成情報を含む第四レスポンスメッセージを受信することを含み、
又は、
前記ホームネットワーク側実体がマクロセルのMBMS構成情報を取得することは、
前記ホーム基地局が、前記ホーム基地局のユーザ装置の監視測定したマクロセルのMBMS構成情報を受信することを含む、方法。
【請求項８】
請求項7に記載の方法であって、
前記ホーム基地局が、マクロ基地局から送信した、前記MBMS構成情報を含む第二構成更新メッセージを受信することは、
前記ホーム基地局が、前記ホーム基地局の移動管理実体（MME)によって、マクロ基地局から前記マクロ基地局のMMEによって送信した前記第二構成更新メッセージを受信することを含む、方法。
【請求項９】
請求項7に記載の方法であって、
前記ホーム基地局が、マクロ基地局に、MBMS構成情報を取得するための第三リクエストメッセージを送信することは、
前記ホーム基地局が、前記ホーム基地局のMMEによって、マクロ基地局のMMEに、MBMS構成情報を取得するための第三リクエストメッセージを送信し、前記マクロ基地局に、前記マクロ基地局のMMEによって前記第三リクエストメッセージを取得させることを含み、
前記ホーム基地局が、前記マクロ基地局が前記第三リクエストメッセージに基いて返した、MBMS構成情報を含む第三レスポンスメッセージを受信することは、
前記ホーム基地局が、前記ホーム基地局のMMEによって、前記マクロ基地局が前記マクロ基地局のMMEによって返した前記第三レスポンスメッセージを受信することを含む、方法。
【請求項１０】
請求項2に記載の方法であって、
在前記ホームネットワーク側実体がホーム基地局である時に、前記方法は、更に、
前記ホーム基地局が、取得した前記第二MBMS構成情報を前記ホーム基地局のユーザ装置に通知し、及び/又は、構成した前記第一オールモストブランクサブフレーム（ABS)、又は、第一オールモストブランクサブフレーム（ABS)及びマルチメディアブロードキャストマルチキャストシングル周波数ネットワーク（MBSFN)サブフレームの位置情報を前記ホーム基地局のユーザ装置に通知することを含む、方法。
【請求項１１】
マルチメディアブロードキャストマルチキャストサービスの実現方法であって、
CSGセルのユーザ装置が、ホームネットワーク側実体の構成した第一ABS、又は、第一ABS及びMBSFNサブフレームにて、マクロセルのマルチメディアブロードキャストマルチキャストサービスを受信することを含み、
前記第一ABS、又は、第一ABS及びMBSFNサブフレームの位置は、マクロセルのMBSFNサブフレームの位置とは同じである、方法。
【請求項１２】
請求項11に記載の方法であって、更に、
前記ユーザ装置が、ホームネットワーク側実体の構成した第二ABS、又は、第二ABS及びMBSFNサブフレームにて、マクロセルから送信した第二MBMS構成情報を受信することを含み、
前記第二ABS、又は、第二ABS及びMBSFNサブフレームの位置は、前記マクロセルが送信した前記第二MBMS構成情報のサブフレーム位置とは同じであり、
又は、
前記ユーザ装置が、ホーム基地局からブロードキャストした前記第二MBMS構成情報を受信することを含み、
前記第二MBMS構成情報は、MBMS制御チャネル構成変更指示情報、MBMS制御チャネル構成情報、MBMS制御チャネルに送信するMBMSデータ受信用の物理ブロードキャストマルチキャストチャネルの関連情報を含むMBSFN領域構成情報、関連システム情報のスケジューリング情報、及びページングに関する情報のうちの１つ以上を含む、方法。
【請求項１３】
請求項11に記載の方法であって、更に、
前記ユーザ装置が、ホーム基地局から送信した第一サブフレーム構成情報を受信することを含み、
前記第一サブフレーム構成情報は、前記ホームネットワーク側実体がその取得したマクロセルのMBMS構成情報に基いて、CSGセルにおいて構成した第一ABS、又は、第一ABS及びMBSFNサブフレームの情報を含み、
前記マクロセルのMBMS構成情報は、第一MBMS構成情報を含み、前記第一MBMS構成情報は、マクロセルにおけるマルチメディアブロードキャストマルチキャストシングル周波数ネットワーク（MBSFN)サブフレームの位置情報を含む、方法。
【請求項１４】
請求項12に記載の方法であって、更に、
前記ユーザ装置が、ホーム基地局から送信した第二サブフレーム構成情報を受信すことを含み、
前記第二サブフレーム構成情報は、前記ホームネットワーク側実体がその取得したマクロセルの第二MBMS構成情報に基いて、CSGセルにおいて構成した第二ABS、又は、第二ABS及びMBSFNサブフレームの情報を含む、方法。
【請求項１５】
請求項11に記載の方法であって、更に、
前記ユーザ装置が、マクロセルにおけるMBMS構成情報の更新を監視測定し、及び
更新後の前記マクロセルのMBMS構成情報を前記ホーム基地局に送信することを含む、方法。
【請求項１６】
請求項11に記載の方法であって、更に、
前記ユーザ装置が、前記ホーム基地局から送信した、マクロセルのMBMS構成情報を取得するためのリクエストメッセージを送信し、
前記リクエストメッセージに基いて、前記マクロセルのMBMS構成情報を監視測定し、及び
監視測定した前記MBMS構成情報を前記ホーム基地局に送信することを含む、方法。
【請求項１７】
ホームネットワーク側実体であって、
マクロセルのMBMS構成情報を取得するための情報取得ユニットであって、前記マクロセルのMBMS構成情報は、第一MBMS構成情報を含み、前記第一MBMS構成情報は、マクロセルにおけるマルチメディアブロードキャストマルチキャストシングル周波数ネットワーク（MBSFN)サブフレームの位置情報を含む、情報取得ユニット、及び
取得した前記MBMS構成情報に基いて、前記CSGセルの、前記マクロセルのMBSFNサブフレームの位置とは同じ位置上のサブフレームを、第一オールモストブランクサブフレーム（ABS)として構成し、又は、第一オールモストブランクサブフレーム（ABS)及びマルチメディアブロードキャストマルチキャストシングル周波数ネットワーク（MBSFN)サブフレームとして構成し、前記ユーザ装置に、前記マクロセルのマルチメディアブロードキャストマルチキャストサービスを受信できるようにさせるための第一サブフレーム構成ユニットを含む、ホームネットワーク側実体。
【請求項１８】
請求項17に記載のホームネットワーク側実体であって、
前記MBMS構成情報は、第二MBMS構成情報を更に含み、
前記第二MBMS構成情報は、MBMS制御チャネル構成変更指示情報、MBMS制御チャネル構成情報、MBMS制御チャネルに送信するMBMSデータ受信用の物理ブロードキャストマルチキャストチャネルの関連情報を含むMBSFN領域構成情報、関連システム情報のスケジューリング情報、及びページングに関する情報のうちの１つ以上を含む、ホームネットワーク側実体。
【請求項１９】
請求項17又は18に記載のホームネットワーク側実体であって、
前記ホームネットワーク側実体は、ホーム基地局のネットワーク管理システム（0AM)であり、
前記情報取得ユニットは、具体的に、マクロ基地局の0AMによって、マクロ基地局が送信した、前記MBMS構成情報を含む第一構成更新メッセージを受信するために用いられ、
又は、
前記情報取得ユニットは、
マクロ基地局の0AMに、MBMS構成情報を取得するための第一リクエストメッセージを送信するための第一送信ユニット、及び
前記マクロ基地局の0AMが前記第一リクエストメッセージに基いて返した、前記マクロ基地局から取得した、前記MBMS構成情報を含む第一レスポンスメッセージを受信するための第一受信ユニットを含み、
又は、
前記情報取得ユニットは、
ホーム基地局が送信した第一サブフレーム構成リクエストメッセージを受信するための第二受信ユニット、
前記第一サブフレーム構成リクエストメッセージに基いて、マクロ基地局の0AMに、MBMS構成情報を取得するための第二リクエストメッセージを送信するための第二送信ユニット、及び
前記マクロ基地局の0AMが前記第二リクエストメッセージに基いて返した、前記マクロ基地局から取得した、前記MBMS構成情報を含む第二レスポンスメッセージを受信するための第三受信ユニットを含む、ホームネットワーク側実体。
【請求項２０】
請求項17又は18に記載のホームネットワーク側実体であって、
前記ホームネットワーク側実体は、ホーム基地局のネットワーク管理システム（0AM)であり、
前記ネットワーク管理システムは、第一通知ユニットを更に含み、
前記第一通知ユニットは、前記第一サブフレーム構成ユニットが構成した前記第一オールモストブランクサブフレーム（ABS)、又は、第一オールモストブランクサブフレーム（ABS)及びマルチメディアブロードキャストマルチキャストシングル周波数ネットワーク（MBSFN)サブフレームの位置情報をホーム基地局に通知するために用いられる、ホームネットワーク側実体。
【請求項２１】
請求項18に記載のホームネットワーク側実体であって、
前記ホームネットワーク側実体は、ホーム基地局のネットワーク管理システム(OAM）であり、前記0AMは、更に、
前記第二MBMS構成情報に基いて、限定加入者グループ（CSG)セルの、前記マクロセルが前記第二MBMS構成情報を送信するサブフレーム位置とは同じ位置上のサブフレームを、第二オールモストブランクサブフレーム（ABS)として構成し、又は、第二オールモストブランクサブフレーム（ABS)及びマルチメディアブロードキャストマルチキャストシングル周波数ネットワーク（MBSFN)サブフレームとして構成し、前記ユーザ装置に、前記マクロセルから前記第二MBMS構成情報を受信できるようにさせるための第二サブフレーム構成ユニット、及び
構成された前記第二オールモストブランクサブフレーム（ABS)、又は、構成された第二オールモストブランクサブフレーム（ABS)及びマルチメディアブロードキャストマルチキャストシングル周波数ネットワーク(MBSFN)サブフレームの位置情報をホーム基地局に通知し、前記ホーム基地局に、前記ホーム基地局のユーザ装置に送信させるための第二通知ユニットを含む、ホームネットワーク側実体。
【請求項２２】
請求項17又は18に記載のホームネットワーク側実体であって、
前記ホームネットワーク側実体は、ホーム基地局であり、
前記情報取得ユニットは、具体的に、マクロ基地局が送信した、前記MBMS構成情報を含む第二構成更新メッセージを受信するために用いられ、
又は、
前記情報取得ユニットは、
マクロ基地局に、MBMS構成情報を取得するための第三リクエストメッセージを送信するための第三送信ユニット、及び
前記マクロ基地局が前記第三リクエストメッセージに基いて返した、MBMS構成情報を含む第三レスポンスメッセージを受信するための第四受信ユニットを含み、
又は、
前記情報取得ユニットは、
ホーム基地局のユーザ装置に、MBMS構成情報を取得するための第四リクエストメッセージを送信するための第四送信ユニット、及び
前記ユーザ装置が前記第四リクエストメッセージに基いて返した、監視測定した前記マクロセルのMBMS構成情報を含む第四レスポンスメッセージを受信するための第五受信ユニットを含み、
又は、
前記情報取得ユニットは、具体的に、前記ホーム基地局のユーザ装置が監視測定したマクロセルのMBMS構成情報を受信するために用いられる、ホームネットワーク側実体。
【請求項２３】
請求項22に記載のホームネットワーク側実体であって、
前記情報取得ユニットが、マクロ基地局から送信した、前記MBMS構成情報を含む第二構成更新メッセージを受信することは、
前記情報取得ユニットが、前記ホーム基地局の移動管理実体(MME)によって、マクロ基地局から前記マクロ基地局のMMEによって送信した前記第二構成更新メッセージを受信することを含む、ホームネットワーク側実体。
【請求項２４】
請求項22に記載のホームネットワーク側実体であって、
前記第三送信ユニットは、具体的に、前記ホーム基地局のMMEによってマクロ基地局のMMEに、MBMS構成情報を取得するための第三リクエストメッセージを送信し、前記マクロ基地局に、前記マクロ基地局のMMEによって前記第三リクエストメッセージを取得させるために用いられ、
前記第四受信ユニットは、具体的に、前記ホーム基地局のMMEによって、前記マクロ基地局が前記マクロ基地局のMMEによって返した前記第三レスポンスメッセージを受信するために用いられる、ホームネットワーク側実体。
【請求項２５】
請求項17に記載のホームネットワーク側実体であって、
前記ホームネットワーク側実体は、ホーム基地局であり、
前記ホーム基地局は、更に、
前記第二MBMS構成情報、及び/又は、構成した前記第一オールモストブランクサブフレーム（ABS)、又は、第一オールモストブランクサブフレーム（ABS)及びマルチメディアブロードキャストマルチキャストシングル周波数ネットワーク（MBSFN)サブフレームの位置情報を前記ホーム基地局のユーザ装置に通知するために用いられる第三通知ユニットを含む、ホームネットワーク側実体。
【請求項２６】
ユーザ装置であって、
ホームネットワーク側実体が構成した第一ABS、又は、第一ABS及びMBSFNサブフレームにて、マクロセルのマルチメディアブロードキャストマルチキャストサービスを受信するためのサービス受信ユニットを含み、
前記第一ABS、又は、第一ABS及びMBSFNサブフレームの位置は、マクロセルのMBSFNサブフレームの位置とは同じである、ユーザ装置。
【請求項２７】
請求項26に記載のユーザ装置であって、
情報受信ユニットを更に含み、
前記情報受信ユニットは、ホームネットワーク側実体が構成した第二ABS、又は、第二ABS及びMBSFNサブフレームにて、マクロセルが送信した第二MBMS構成情報を受信するために用いられ、
前記第二ABS、又は、第二ABS及びMBSFNサブフレームの位置は、前記マクロセルが前記第二MBMS構成情報を送信するサブフレーム位置とは同じであり、
又は、
前記情報受信ユニットは、ホーム基地局がブロードキャストした前記第二MBMS構成情報を受信するために用いられ、
前記第二MBMS構成情報は、MBMS制御チャネル構成変更指示情報、MBMS制御チャネル構成情報、MBMS制御チャネルに送信するMBMSデータ受信用の物理ブロードキャストマルチキャストチャネルの関連情報を含むMBSFN領域構成情報、関連システム情報のスケジューリング情報、及びページングに関する情報のうちの１つ以上を含む、ユーザ装置。
【請求項２８】
請求項26に記載のユーザ装置であって、更に、
ホーム基地局が送信した第一サブフレーム構成情報を受信するための第一構成情報受信ユニットを含み、
前記第一サブフレーム構成情報は、前記ホームネットワーク側実体がその取得したマクロセルのMBMS構成情報に基いて、CSGセルにおいて構成した第一ABS、又は、第一ABS及びMBSFNサブフレームの情報を含み、
前記マクロセルのMBMS構成情報は、第一MBMS構成情報を含み、前記第一MBMS構成情報は、マクロセルにおけるマルチメディアブロードキャストマルチキャストシングル周波数ネットワーク（MBSFN)サブフレームの位置情報を含む、ユーザ装置。
【請求項２９】
請求項27に記載のユーザ装置であって、更に、
ホーム基地局が送信した第二サブフレーム構成情報を受信するための第二構成情報受信ユニットを含み、
前記第二サブフレーム構成情報は、前記ホームネットワーク側実体がその取得したマクロセルの第二MBMS構成情報に基いて、CSGセルにおいて構成した第二ABS、又は、第二ABS及びMBSFNサブフレームの情報を含む、ユーザ装置。
【請求項３０】
請求項26に記載のユーザ装置であって、更に、
マクロセルのMBMS構成情報を監視測定するための第一監視測定ユニット、及び
マクロセルにおけるMBMS構成情報の更新を検出した時に、更新後の前記マクロセルのMBMS構成情報を前記ホーム基地局に送信するための第五送信ユニットを含む、ユーザ装置。
【請求項３１】
請求項26に記載のユーザ装置であって、更に、
ホーム基地局が送信した、マクロセルのMBMS構成情報を取得するためのリクエストメッセージを受信するための第六受信ユニット、
前記リクエストメッセージに基いて、前記マクロセルのMBMS構成情報を監視測定するための第二監視測定ユニット、及び
監視測定した前記MBMS構成情報を前記ホーム基地局に送信するための第六送信ユニットを含む、ユーザ装置。
【請求項３２】
コンピュータ可読プログラムであって、
ホームネットワーク側実体において前記プログラムを実行する時に、前記プログラムは、コンピュータに、前記ホームネットワーク側実体において請求項1〜10の任意の１項に記載のマルチメディアブロードキャストマルチキャストサービスの実現方法を実行させる、プログラム。
【請求項３３】
コンピュータ可読プログラムを記憶した記憶媒体であって、
前記コンピュータ可読プログラムは、コンピュータに、ホームネットワーク側実体において請求項1〜10の任意の１項に記載のマルチメディアブロードキャストマルチキャストサービスの実現方法を実行させる、記憶媒体。
【請求項３４】
コンピュータ可読プログラムであって、
ユーザ装置において前記プログラムを実行する時に、前記プログラムは、コンピュータに、前記ユーザ装置において請求項11〜16の任意の１項に記載のマルチメディアブロードキャストマルチキャストサービスの実現方法を実行させる、プログラム。
【請求項３５】
コンピュータ可読プログラムを記憶した記憶媒体であって、
前記コンピュータ可読プログラムは、コンピュータに、前記ユーザ装置において請求項11〜16の任意の１項に記載のマルチメディアブロードキャストマルチキャストサービスの実現方法を実行させる、記憶媒体。
【発明の詳細な説明】
【技術分野】
【０００１】
本発明は、通信分野に関し、特に、マルチメディアブロードキャストマルチキャストサービスの実現方法、ホーム基地局及びユーザ装置に関する。
【背景技術】
【０００２】
3GPPでは、ユーザ装置移動時に、マルチメディアブロードキャストマルチキャスト（Multimedia  Broadcast  Multicast  Service、MBMS)サービスの連続性を保証する問題が研究されている。今のところ、上述の問題を解決するために採用する方法は、ユーザ装置が基地局に、その受信した幾つかのMBMSサービスの情報を提供し、且つ、基地局の間で幾つかのMBMSサービスの情報のやり取りをすることである。
【０００３】
しかし、本発明の発明者は、本発明の実現過程において、LTE-A（Long  Term  Evolution  Advanced、LTE-A)システムでは、限定加入者グループ（Closed  Subscriber  Group、CSG)セル（ホーム基地局（HeNB)により制御される）がマルチメディアブロードキャストマルチキャストサービスMBMSを提供できず、MBMSを受信しているユーザ装置がマクロセルからCSGセルへハンドオーバした後に、サービスの中断が生じることがあり、又は、該CSGセルにおける、MBMSを受信する必要がある又はMBMSを受信し始めるユーザ装置がMBMSを受信することができなくなるとのことを発見した。今のところ、該問題を解決するための有効な方法はまだない。
【０００４】
なお、上述の背景技術についての紹介は、本発明の技術案を明確且つ完全に説明し、また、当業者がそれを容易に理解し得るためだけのものである。これらの案が本発明の背景技術の部分に記載されているため、上述の技術案は当業者に周知であると思われてはいけない。
【発明の概要】
【発明が解決しようとする課題】
【０００５】
本発明の実施例の目的は、マルチメディアブロードキャストマルチキャストサービスの実現方法、ホーム基地局及びユーザ装置を提供することにあり、CSGセルの、マクロセルのMBSFNサブフレームの位置と同じ位置上のサブフレームをABSとして構成し、又は、ABS及びMBSFNサブフレームとして構成することにより、該CSGセルのユーザ装置又は該CSGにハンドオーバしたユーザ装置は、該マクロセルのマルチメディアブロードキャストマルチキャストサービスを受信でき、MBMSサービスの連続性を保証することができる。
【課題を解決するための手段】
【０００６】
本発明の実施例の一側面によれば、マルチメディアブロードキャストマルチキャストサービスの実現方法が提供され、該方法は、
ホームネットワーク側実体がマクロセルのマルチメディアブロードキャストマルチキャストサービス（MBMS)構成情報を取得し、該マクロセルのMBMS構成情報は、第一MBMS構成情報を含み、該第一MBMS構成情報は、マクロセル中のマルチメディアブロードキャストマルチキャストシングル周波数ネットワーク（MBSFN)サブフレームの位置情報を含み；及び
取得した該第一MBMS構成情報に基いて、限定加入者グループ（CSG)セルの、該マクロセルのMBSFNサブフレームの位置と同じ位置上のサブフレームを第一オールモストブランクサブフレーム（ABS)として構成し、又は、第一オールモストブランクサブフレーム（ABS)及びマルチメディアブロードキャストマルチキャストシングル周波数ネットワーク（MBSFN)サブフレームとして構成することにより、該ユーザ装置が該マクロセルのマルチメディアブロードキャストマルチキャストサービスを受信することができる、ことを含む。
【０００７】
本発明の実施例の他の側面によれば、マルチメディアブロードキャストマルチキャストサービスの実現方法が提供され、該方法は、
CSGセルのユーザ装置が、ホームネットワーク側実体が構成した第一ABS、又は、第一ABS及びMBSFNサブフレームにて、マクロセルのマルチメディアブロードキャストマルチキャストサービスを受信することを含み、
そのうち、該第一ABS、又は、第一ABS及びMBSFNサブフレームの位置は、マクロセルのMBSFNサブフレームの位置と同じである。
【０００８】
本発明の実施例の他の側面によれば、ホームネットワーク側実体が提供され、該ホームネットワーク側実体は、
マクロセルのMBMS構成情報を得るための情報取得ユニットであって、該マクロセルのMBMS構成情報は、第一MBMS構成情報を含み、該第一MBMS構成情報は、マクロセル中のマルチメディアブロードキャストマルチキャストシングル周波数ネットワーク（MBSFN)サブフレームの位置情報を含む、情報取得ユニット；及び
得た該MBMS構成情報に基いて、該CSGセルの、該マクロセルのMBSFNサブフレームの位置と同じ位置上のサブフレームを、第一オールモストブランクサブフレーム（ABS)として構成し、又は、第一オールモストブランクサブフレーム(ABS)及びマルチメディアブロードキャストマルチキャストシングル周波数ネットワーク（MBSFN)サブフレームとして構成することにより、該ユーザ装置が該マクロセルのマルチメディアブロードキャストマルチキャストサービスを受信することができる、第一サブフレーム構成ユニットを含む。
【０００９】
本発明の実施例の他の側面によれば、ユーザ装置が提供され、該ユーザ装置は、
ホームネットワーク側実体が構成した第一ABS、又は、第一ABS及びMBSFNサブフレームにて、マクロセルのマルチメディアブロードキャストマルチキャストサービスを受信するためのサービス受信ユニットであって、そのうち、該第一ABS、又は、第一ABS及びMBSFNサブフレームの位置は、マクロセルのMBSFNサブフレームの位置と同じである、サービス受信ユニットを含む。
【００１０】
本発明の実施例の他の側面によれば、コンピュータ可読プログラムが提供され、そのうち、ホームネットワーク側実体において前記プログラムを実行する時に、前記プログラムは、コンピュータに、前記ホームネットワーク側実体において上述のマルチメディアブロードキャストマルチキャストサービスの実現方法を実現させる。
【００１１】
本発明の実施例の他の側面によれば、コンピュータ可読プログラムを記憶した記憶媒体が提供され、そのうち、前記コンピュータ可読プログラムは、コンピュータに、ホームネットワーク側実体において上述のマルチメディアブロードキャストマルチキャストサービスの実現方法を実現させる。
【００１２】
本発明の実施例の他の側面によれば、コンピュータ可読プログラムが提供され、そのうち、ユーザ装置において前記プログラムを実行する時に、前記プログラムは、コンピュータに、前記ユーザ装置において上述のマルチメディアブロードキャストマルチキャストサービスの実現方法を実現させる。
【００１３】
本発明の実施例の他の側面によれば、コンピュータ可読プログラムを記憶した記憶媒体が提供され、そのうち、前記コンピュータ可読プログラムは、コンピュータに、前記ユーザ装置においてマルチメディアブロードキャストマルチキャストサービスの実現方法を実現させる。
【００１４】
本発明の実施例の有益な効果は、ホームネットワーク側実体がCSGセルの、マクロセルのMBSFNサブフレームの位置と同じ位置上のサブフレームをABSとして構成し、又は、ABS及びMBSFNサブフレームとして構成することによって、該CSGセルのユーザ装置又は該CSGにハンドオーバしたユーザ装置が該マクロセルのマルチメディアブロードキャストマルチキャストサービスを受信でき、MBMSサービスの連続性を保証することができる。
【００１５】
後述の説明及び図面により、本発明の特定の実施形態を詳細に開示し、本発明の原理を採用し得る方式を明確にする。なお、本発明の実施形態は、範囲上ではそれに限定されない。添付した特許請求の範囲の精神及び技術的範囲内では、本発明の実施形態は、あらゆる変更、変形及び代替によるものを含む。
【００１６】
実施形態について説明した及び/又は示した特徴は、同じ又は類似した方式で、一つ又は複数の他の実施形態に使用し、他の実施形態における特徴と組み合わせ、又は、他の実施形態における特徴を置換することができる。
【００１７】
なお、"包括/含む"のような用語は、本文に使用する時に、特徴、装置全体、ステップ又はアセンブリの存在を指すが、一つ又は複数の他の特徴、装置全体、ステップ又はアセンブリの存在又は付加を排除しないことをも指す。
【図面の簡単な説明】
【００１８】
次の図面に基づく詳細な説明により、本発明の実施例の上述及び他の目的、特徴及び利点は、より明らかになる。
【図１】ユーザ装置がマクロセルから限定加入者グループCSGセルにハンドオーバすることを示す図である。
【図２】Ａは、マクロセルのMBSFNサブフレームの位置を示す図である。Ｂは、中にABSサブフレームが構成されている限定加入者グループCSGセルを示す図である。Ｃは、中にABS+MBSFNサブフレームが構成されている限定加入者グループCSGセルを示す図である。
【図３】本発明の実施例1におけるマルチメディアブロードキャストマルチキャストサービスの実現方法のフローチャートである。
【図４】本発明の実施例2におけるマルチメディアブロードキャストマルチキャストサービスの実現方法のフローチャートである。
【図５】本発明の実施例3におけるマルチメディアブロードキャストマルチキャストサービスの実現方法のフローチャートである。
【図６】本発明の実施例4におけるマルチメディアブロードキャストマルチキャストサービスの実現方法のフローチャートである。
【図７】本発明の実施例5におけるマルチメディアブロードキャストマルチキャストサービスの実現方法のフローチャートである。
【図８】本発明の実施例6におけるマルチメディアブロードキャストマルチキャストサービスの実現方法のフローチャートである。
【図９】本発明の実施例7におけるマルチメディアブロードキャストマルチキャストサービスの実現方法のフローチャートである。
【図１０】本発明の実施例8におけるマルチメディアブロードキャストマルチキャストサービスの実現方法のフローチャートである。
【図１１】本発明の実施例9におけるディアブロードキャストマルチキャストサービスの実現方法のフローチャートである。
【図１２】本発明の実施例10におけるマルチメディアブロードキャストマルチキャストサービスの実現方法のフローチャートである。
【図１３】本発明の実施例11におけるマルチメディアブロードキャストマルチキャストサービスの実現方法のフローチャートである。
【図１４】本発明の実施例12におけるホーム基地局のネットワーク管理システムの構成図である。
【図１５】本発明の実施例12における第一情報取得ユニットの構成図である。
【図１６】本発明の実施例12における第一情報取得ユニットの構成図である。
【図１７】本発明の実施例13におけるホーム基地局の構成図である。
【図１８】図17における第二情報取得ユニットの構成図である。
【図１９】図17における第二情報取得ユニットの構成図である。
【図２０】本発明の実施例14におけるユーザ装置の構成図である。
【発明を実施するための形態】
【００１９】
以下、図面を参照しながら本発明の各種の実施形態について説明する。これらの実施形態は、例示的なものだけであり、本発明について限定するものではない。当業者が容易に本発明の原理及び実施形態を理解し得るために、本発明の実施形態では、LTE-A/LTEシステムを例として、本発明の実施例におけるマルチメディアブロードキャストマルチキャストサービスの実現方法について説明するが、理解すべきは、本発明は、上述のシステムに限定せず、上述の状況の下でマルチメディアブロードキャストマルチキャストサービスに関する他のシステムにも適用し得るとのことである。今のところ、CSGセルがマルチメディアブロードキャストマルチキャストサービスMBMSを提供できず、MBMSを受信中のユーザ装置がマクロセルからCSGセルにハンドオーバした後に、サービスの中断が生じることがあり、又は、該CSGセルにおける、MBMSを受信する必要がある又はMBMSを受信し始めるユーザ装置がMBMSを受信できなくなる。以下、CSGセルにハンドオーバしたユーザ装置を例として、現在のMBMSの実現方法に存在する問題について説明する。
【００２０】
図1は、MBMSを受信中のユーザ装置がマクロセルからCSGセルにハンドオーバすることを示す図である。LTE-A（Long  Term  Evolution  Advanced、LTE-A)システムでは、CSGセル（ホーム基地局（HeNB)により制御される）がマルチメディアブロードキャストマルチキャストサービスMBMSを提供できず、マクロセルのMBMSを受信中のユーザ装置（UE)がマクロセルからCSGセルにハンドオーバした後に、サービスの中断が生じることがある。
【００２１】
今のところ、MBMS中断を回避する方法は、ユーザ装置UEがCSGセルにハンドオーバした後に、ユニキャストの方式で、該ユーザ装置に該MBMSを送信することである。該方法は、一方では、ユーザ装置がMBMSを受信する時に時間遅延が生じることをもたらすことがあり、なぜなら、ユニキャストデータが、HARQ（Hybrid  Automatic  Repeat  Request、HARQ)を用いて伝送の正確性を保証する必要があるからであり、他方では、ユーザ装置の数が多い時に、同じMBMSが複数回重複送信されることがあり、システムのスペクトル効率が低下することをもたらすことがある。
【００２２】
本発明の実施例では、上述の問題を解決するために、ユーザ装置UEがCSGセルに進入した後に依然としてMBMSを受信できる、又は、該CSGセルのユーザ装置がMBMSを受信できることを保証するために、次のような方式を採用する。
【００２３】
CSGセルでは、ホームネットワーク側実体、例えば、ホーム基地局（HeNB)又はホーム基地局のネットワーク管理システム（OAM)が、幾つかのサブフレームをオールモストブランクサブフレーム（Almost  Blank  Sub-frame、ABS)として構成し、又は、ABS及びマルチメディアブロードキャストマルチキャストシングル周波数ネットワークサブフレーム(ABS+MBSFNサブフレーム）として構成し、これらのサブフレームは、マクロセル（マクロ基地局（MeNB)により制御される）中のMBSFNサブフレームの位置と同じである。このように、ユーザ装置UEは、構成されたABS、又は、（ABS+MBSFNサブフレーム）にて、MeNBのMBMSサービスを受信することができる。
【００２４】
図2Aは、マクロセルのMBSFNサブフレームの位置を示す図である。図2Bは、中にABSサブフレームが構成されている限定加入者グループCSGセルを示す図である。図2Cは、中に（ABS+MBSFNサブフレーム）が構成されている限定加入者グループCSGセルを示す図である。
【００２５】
例えば、図1に示すように、マクロセル及びCSGセルは、同じ周波数flで作動する。MBMSを受信中のユーザ装置UEがマクロセルからCSGセルに移動する時に、MBMSの受信の中断が生じることがある。
【００２６】
この問題を解決するために、ホームネットワーク側実体、例えば、ホーム基地局（HeNB)又はホーム基地局のネットワーク管理システム（OAM)は、幾つかのサブフレームをABSサブフレーム、又は、ABS+MBSFNサブフレームとして設定することができ、これらのサブフレームの位置は、マクロセル中の、MBMSを送信するサブフレーム、即ち、MBSFNサブフレームの位置とは同じである。
【００２７】
図2Bに示すように、ABSとして設定されれば、該ホーム基地局HeNBは、該ABSにて、セル専用参照信号（Cell-specific  Reference  Signal、CRS)のみを送信する。図2Cに示すように、（ABS+MBSFNサブフレーム）として設定されれば、該ホーム基地局HeNBは、非MBSFN領域（影付き部分）のみにて、CRSを送信する。よって、ユーザ装置は、マクロ基地局MeNBのMBMSを受信でき、且つ、CSGセル中のCRSのみからの干渉を受けることができる。
【００２８】
以下、図面を参照しながら本発明の実施例におけるマルチメディアブロードキャストマルチキャストサービスの実現方法について詳細に説明する。
【００２９】
図3は、本発明の実施例1におけるマルチメディアブロードキャストマルチキャストサービスの実現方法のフローチャートである。図3に示すように、該方法は、次のようなステップを含む。
【００３０】
ステップ301：該ホームネットワーク側実体は、マクロセルのMBMS構成情報を取得し、該マクロセルのMBMS構成情報は、第一MBMS構成情報を含み、該第一MBMS構成情報は、マクロセルにおけるマルチメディアブロードキャストマルチキャストシングル周波数ネットワーク（MBSFN)サブフレームの位置情報を含む。
【００３１】
本実施例では、該ホームネットワーク側実体は、ホーム基地局のネットワーク管理システム(0AM)であっても良く、又は、ホーム基地局HeNBであっても良い。そのうち、マクロセルを制御するマクロ基地局MeNBと、CSGセルを制御するホーム基地局HeNBとの間で直接通信できない時に、該ホーム基地局の0AMにより、マクロ基地局から、MBMS構成情報を得て、該構成情報に基いて、上述のサブフレームを構成することができる。また、該ホーム基地局は、S1インターフェースのシグナリング又はX2インターフェースのシグナリングにより、マクロセル又は該ホーム基地局のユーザ装置から、マクロセルのMBMS構成情報を得て、該構成情報に基いて上述のサブフレームを構成することができる。
【００３２】
ステップ302：該ホームネットワーク側実体は、得たMBMS構成情報に基いて、該CSGセルの、該マクロセルのMBSFNサブフレームの位置と同じ位置上のサブフレームを、第一オールモストブランクサブフレーム（ABS)として構成し、又は、第一オールモストブランクサブフレーム（ABS)及びマルチメディアブロードキャストマルチキャストシングル周波数ネットワーク（MBSFN)サブフレームとして構成することにより、該ユーザ装置は、該マクロセルのマルチメディアブロードキャストマルチキャストサービスを受信することができる。
【００３３】
本実施例では、構成された第一ABS、又は、第一(ABS及びMBSFNサブフレーム)の位置は、図2A〜図2Cに示すようであり、そのうち、各ABS、又は、各（ABS+MBSFNサブフレーム）は、ともに、１個のサブフレームを占め、１個のサブフレームをABSとして構成する時に、ABSサブフレーム全体にはCRSがある。１個のサブフレームを（ABS+MBSFNサブフレーム）として構成する時に、該サブフレームは、制御領域のみにCRSが含まれる。
【００３４】
このように、該ユーザ装置UEは、構成された該第一ABS、又は、第一（ABS+MBSFNサブフレーム）にて、マクロセルのMBMSを受信でき、これによって、該ユーザ装置UEがマクロセルからCSGセルにハンドオーバした後におけるMBMSの中断を避けることができ、また、CSGセルのユーザ装置UEがMBMSを受信できるようにさせることができる。
【００３５】
本実施例では、該ホームネットワーク側実体が取得したMBMS構成情報は、第一MBMS構成情報の他に、第二MBMS構成情報をも含み、該第二MBMS構成情報は、以下の情報のうちの１つ又は１つ以上を含んでも良く、即ち、MBMS制御チャネル構成変更指示情報、MBMS制御チャネル構成情報、MBMS制御チャネルに送信する、MBMSデータ受信に用いる物理ブロードキャストマルチキャストチャネルの関連情報を含むMBSFN領域構成情報、関連システム情報のスケジューリング情報、及びページングに関する情報である。
【００３６】
上述の第二MBMS構成情報のうち、該MBMS制御チャネル構成変更指示情報は、MBMSの制御情報の変更が発生したかどうかを指示するために用いられる。
【００３７】
該MBMS制御チャネル構成情報は、MBMS制御チャネルの構成、例えば、制御チャネルが対応するMBSFN領域標識、制御チャネルが出現する位置、制御チャネルが採用する変調符号化方式、制御チャネルの修正周期等を指示するために用いられる。
【００３８】
該MBMS制御チャネルに送信する、MBMSデータ受信に用いる物理ブロードキャストマルチキャストチャネルの関連情報を含むMBSFN領域構成情報は、MBSFN領域において、MBMSデータを送信するサブフレーム位置、MBMSデータを送信するために採用する変調符号化方式等を指示するために用いられる。
【００３９】
該関連システム情報のスケジューリング情報は、上述の幾つかのMBMS構成情報がシステム情報に送信されるため、このスケジューリング情報は、これらのシステム情報の送信位置を指示するために用いられる。例えば、本実施例では、該関連システム情報のスケジューリング情報は、LTEシステムの関連システム情報のスケジューリング情報であって良い。
【００４０】
該ページングに関する情報は、システム情報の変更が発生したかどうかを指示するために用いられる。
【００４１】
このように、該ユーザ装置UEがMBMSデータを受信した時に、制御チャネルの関連情報が変化すれば、該ユーザ装置UEは、更に、それ相応の情報を取得することができ、これによって、MBMSデータの受信が中断しないようにさせる場合、受信データの完全性を更に保証できる。
【００４２】
以下、図面を参照しながら本発明の実施例におけるマルチメディアブロードキャストマルチキャストサービスの実現方法について詳細に説明する。以下の図4乃至図6は、ホーム基地局のOAMがサブフレームを構成することを例として説明を行う。以下の図7乃至図12は、ホーム基地局がサブフレームを構成することを例として説明を行う。
【００４３】
図4は、本発明の実施例2におけるマルチメディアブロードキャストマルチキャストサービスの実現方法のフローチャートである。本実施例では、ホーム基地局のOAMが、マクロ基地局の0AMにより、マクロ基地局から送信した、MBMS構成情報を含む構成更新メッセージを受信することで、マクロセルのMBMS構成情報を得て、それ相応のサブフレームを構成する。具体的な案は、次の通りである。
【００４４】
ステップ401：マクロ基地局MeNBは、マクロセルのOAMに、構成更新メッセージを送信し、該構成更新メッセージは、更新されたMBMS構成情報を含む。
【００４５】
本実施例では、マクロセルのMBMS構成の変更が発生した時に、該MeNBは、更新後のMBMS構成情報をMeNBのOAMシステムに送信する。
【００４６】
そのうち、該MeNBは、MBMS構成更新メッセージにより、該更新後のMBMS構成情報をマクロ基地局のOAMに送信するが、該メッセージに限定されず、他のメッセージにより該MBMS構成情報を送信してもよい。
【００４７】
本実施例では、該構成情報は、第一MBMS構成情報を含んでも良く、該第一MBMS構成情報は、マクロセル中マルチメディアブロードキャストマルチキャストシングル周波数ネットワーク（MBSFN)サブフレームの位置情報である。
【００４８】
また、第二MBMS構成情報を更に含んでも良く、該第二MBMS構成情報は、以下の情報のうちの１つ又は１つ以上を含んでも良く、即ち、MBMS制御チャネル構成変更指示情報、MBMS制御チャネル構成情報、MBMS制御チャネルに送信する、MBMSデータ受信に用いる物理ブロードキャストマルチキャストチャネルの関連情報を含むMBSFN領域構成情報、関連システム情報のスケジューリング情報、及びページングに関する情報であり、各情報の機能は、上述の通りであり、且つ、該第二MBMS構成情報は、オプションである。
【００４９】
ステップ402：該マクロ基地局のOAMは、ホーム基地局のOAMに該構成更新メッセージを送信し、そのうち、該MeNBのOAMは、コアネットワークの伝送によって該構成更新メッセージをホーム基地局HeNBのOAMに送信する。
【００５０】
ステップ403：該HeNBのOAMは、該構成更新メッセージを受信し、このように、該HeNBのOAMは、該構成更新メッセージ中のMBMS構成情報を得ることができる。
【００５１】
そのうち、マクロ基地局が送信したMBMS構成情報には、第一MBMS構成情報、即ち、マクロセル中のマルチメディアブロードキャストマルチキャストシングル周波数ネットワーク（MBSFN)サブフレームの位置情報を含めば、該ホーム基地局の0AMは、該MBMS構成情報中のマクロセルにおけるマルチメディアブロードキャストマルチキャストシングル周波数ネットワーク（MBSFN)サブフレームの位置情報を得ることができ、マクロ基地局が送信したMBMS構成情報には、第二MBMS構成情報をも含めば、該ホーム基地局の0AMは、更に、該第二MBMS構成情報を得ることもできる。
【００５２】
ステップ404：該ホーム基地局のOAMは、MBMS構成情報を得た後に、該MBMS構成情報中の第一MBMS構成情報中の位置情報に基づて、CSGセルの第一ABS又は第一ABS+MBSFNサブフレームを構成することができ、これによって、該第一ABS又は第一(ABS+MBSFNサブフレーム）の位置は、マクロセル中のMBSFNサブフレームの位置に対応し得るようになり、図2A乃至図2Cに示すように、このように、該CSGセルのユーザ装置は、構成された上述のサブフレームにて、MBMSを受信することができる。
【００５３】
また、該MBMS構成情報は、更に、第二MBMS構成情報を含めば、該ホーム基地局のOAMは、更に、該CSGセルの第二ABS、又は、第二(ABS+MBSFNサブフレーム）を構成することもでき、これによって、該第二ABS、又は、第二（ABS+MBSFNサブフレーム）の位置は、マクロセルが送信した第二MBMS構成情報のサブフレーム位置に対応し得るようになり、該ユーザ装置は、構成された上述のサブフレームにて、該マクロセルから、該第二MBMS構成情報を受信することができる。
【００５４】
ステップ405：該ホーム基地局のOAMは、構成したABS又は（ABS+MBSFNサブフレーム）の情報を該ホーム基地局に送信し、これによって、該ホーム基地局は、サブフレーム構成情報、即ち、ABS又は（ABS+MBSFNサブフレーム）の位置を知ることができる。
【００５５】
そのうち、ステップ404で、第一サブフレーム構成情報のみ、即ち、第一ABS又は第一（ABS+MBSFNサブフレーム）のみを構成すれば、該第一サブフレーム構成情報をホーム基地局に送信し、ホーム基地局により該第一サブフレーム構成情報をユーザ装置に送信する。
【００５６】
ステップ404で、第二サブフレーム構成情報を更に構成すれば、該第二サブフレーム構成情報をもホーム基地局に送信し、ホーム基地局により該第二サブフレーム構成情報をユーザ装置に送信する。
【００５７】
該ホーム基地局のOAMは、サブフレーム構成メッセージによって該情報を送信することができるが、該サブフレーム構成メッセージに限定されず、他のメッセージを採用して送信してもよい。
【００５８】
ステップ406：該ホーム基地局は、構成したサブフレーム構成情報を該ホーム基地局のユーザ装置にブロードキャストする。
【００５９】
このように、該ホーム基地局のユーザ装置は、該第一サブフレーム構成情報、又は、第一サブフレーム構成情報及び第二サブフレーム構成情報を得ることができ、該ユーザ装置UEがCSGセルにハンドオーバした後に、又は、CSGセルのユーザ装置がMBMSを受信する時に、構成されたABS又はABS+MBSFNサブフレームにて、マクロセルから送信のMBMSサービスを受信でき、これによって、ユーザ装置UEがCSGセルにハンドオーバした後に、MBMSサービスが中断しないことを保証し、又は、CSGセルのユーザ装置がマクロセルのMBMSを受信できることを保証する。
【００６０】
本実施例では、ステップ406がオプションステップであり、該情報は、ブロードキャストしても良く、ブロードキャストしなくても良い。
【００６１】
図5は、本発明の実施例3におけるマルチメディアブロードキャストマルチキャストサービスの実現方法のフローチャートである。本実施例では、該ホーム基地局HeNBのOAMは、マクロ基地局MeNBに、MBMSの構成情報をリクエストする。具体的な案は、次の通りである。
【００６２】
ステップ501及びステップ502：該ホーム基地局HeNBのOAMは、該マクロ基地局MeNBに、構成リクエストメッセージを送信し、該マクロ基地局のMBMS構成情報を得るようリクエストする。
【００６３】
本実施例では、該構成リクエストメッセージにMBMS構成情報が含まれ、該MBMS構成情報に含まれる情報は、実施例2のステップ401に記載の通りであるため、ここでは、詳しい説明を省略する。本実施例では、該ホーム基地局のOAMは、コアネットワークにて該構成リクエストメッセージを先にMeNBのOAMに送信し、その後、該MeNBのOAMにより、該構成リクエストメッセージを該マクロ基地局に送信してもよい。
【００６４】
ステップ503及びステップ504：該マクロ基地局は、該構成リクエストメッセージを得た後に、該マクロ基地局のMBMS構成情報をコアネットワークにてマクロ基地局のOAMを伝送した後に、ホーム基地局のOAMに返しても良い。
【００６５】
そのうち、該MBMS構成情報は、構成レスポンスメッセージに含まれて、該ホーム基地局のOAMに送信することができるが、上述のメッセージに限定されず、他のメッセージを採用して送信することもできる。
【００６６】
本実施例では、ステップ505〜ステップ508の過程は、実施例2におけるステップ403〜406の過程に類似し、ここでは、詳しい説明を省略する。
【００６７】
図6は、本発明の実施例4におけるマルチメディアブロードキャストマルチキャストサービスの実現方法のフローチャートである。本実施例では、該ホーム基地局がマクロ基地局にMBMS構成情報をリクエストする。具体的な案は、次の通りである。
【００６８】
ステップ601：該基地局HeNBは、そのOAMに、サブフレーム構成リクエストメッセージを送信し、マクロセルのMBMS構成情報を取得するようリクエストする。
【００６９】
ステップ602：該ホーム基地局のOAMは、該サブフレーム構成リクエストメッセージに基いて、コアネットワークにて、マクロ基地局のOAMに、構成リクエストメッセージを送信する。
【００７０】
そのうち、該構成リクエストメッセージと、該サブフレーム構成リクエストメッセージとは、同じ内容を有しても良く、該構成リクエストメッセージは、実施例2、3におけるものに類似し、ここでは、詳しい説明を省略する。
【００７１】
ステップ603〜ステップ609は、図5に示すステップ502〜508に類似し、ここでは、詳しい説明を省略する。
【００７２】
図7は、本発明の実施例5におけるマルチメディアブロードキャストマルチキャストサービスの実現方法のフローチャートである。本実施例では、該ホーム基地局HeNBがマクロ基地局MeNBにMBMSの構成情報をリクエストする。具体的な案は、次の通りである。
【００７３】
ステップ701：ホーム基地局HeNBは、直接マクロ基地局MeNBに該構成リクエストメッセージを送信し、マクロ基地局のMBMS構成情報を取得するようリクエストする。
【００７４】
そのうち、該リクエストメッセージは、マクロ基地局及びホーム基地局の間のX2インターフェースにより通信を行うことができる。
【００７５】
ステップ702：該マクロ基地局は、該構成リクエストメッセージを受信した後に、そのMBMS構成情報を取得し、そして、該構成情報を該ホーム基地局に返すことができる。
【００７６】
そのうち、該MBMS構成情報を構成レスポンスメッセージにおいて送信させてもよいが、該メッセージに限定されず、他のメッセージにより該MBMS構成情報を送信してもよい。
【００７７】
本実施例では、該構成情報は、第一MBMS構成情報を含んでも良く、該第一MBMS構成情報は、マクロセル中のマルチメディアブロードキャストマルチキャストシングル周波数ネットワーク（MBSFN)サブフレームの位置情報を含む。
【００７８】
また、第二MBMS構成情報を更に含んでもよく、該第二MBMS構成情報は、以下の情報のうちの１つ又は１つ以上を含んでも良く、即ち、MBMS制御チャネル構成変更指示情報、MBMS制御チャネル構成情報、MBMS制御チャネルに送信する、MBMSデータ受信に用いる物理ブロードキャストマルチキャストチャネルの関連情報を含むMBSFN領域構成情報、関連システム情報のスケジューリング情報、及びページングに関する情報である。
【００７９】
ステップ703：該ホーム基地局は、該レスポンスメッセージ中のMBMS構成情報を取得する。
【００８０】
そのうち、マクロ基地局が送信したMBMS構成情報には第一MBMS構成情報、即ち、マクロセル中のマルチメディアブロードキャストマルチキャストシングル周波数ネットワーク（MBSFN)サブフレームの位置情報を含めば、該ホーム基地局は、該第一MBMS構成情報中のマクロセル中マルチメディアブロードキャストマルチキャストシングル周波数ネットワーク（MBSFN)サブフレームの位置情報を得ることができる。
【００８１】
マクロ基地局が第二MBMS構成情報を送信していれば、該ホーム基地局は、該第二MBMS構成情報を得ることができる。
【００８２】
ステップ704：該ホーム基地局は、該第一MBMS構成情報中の位置情報に基いて、CSGセルの第一ABS又は第一（ABS+MBSFNサブフレーム）を構成し、これによって、該第一ABS又は第一（ABS+MBSFNサブフレーム）の位置は、マクロセル中のMBSFNサブフレームの位置に対応し得るようになり、図2A〜図2Cに示すようである。
【００８３】
ステップ705：該ホーム基地局は、構成したサブフレーム構成情報を該ホーム基地局のユーザ装置にブロードキャストする。
【００８４】
このように、該ホーム基地局のユーザ装置は該サブフレーム構成情報を得ることができ、該ユーザ装置UEがCSGセルにハンドオーバした後に又はCSGセルのユーザ装置がMBMSを受信する時に、構成された第一ABS又は第一（ABS+MBSFNサブフレーム）にてマクロセルから送信したMBMSサービスを受信でき、これによって、ユーザ装置UEがCSGセルにハンドオーバした後に、MBMSサービスが中断しないように保証し、又は、該CSGセルのユーザ装置UEがマクロセルから送信したMBMSサービスを受信できるように保証する。
【００８５】
また、ステップ705で、マクロ基地局が更に第二MBMS構成情報を送信した場合、該ホーム基地局は、該第二MBMS構成情報を得た後に、更に、該第二MBMS構成情報をユーザ装置にブロードキャストしても良いが、該ステップは、オプションである。
【００８６】
図8は、本発明の実施例6におけるマルチメディアブロードキャストマルチキャストサービスの実現方法のフローチャートである。本実施例では、マクロ基地局が直接ホーム基地局に更新後のMBMS構成情報を送信する。具体的な案は、次の通りである。
【００８７】
ステップ801：マクロ基地局MeNBは、ホーム基地局に構成更新メッセージを送信し、該構成更新メッセージは、更新後のMBMS構成情報を含む。
【００８８】
本実施例では、マクロセルのMBMS構成の変更が発生した時に、該MeNBは、更新後のMBMS構成情報をHeNBに送信し、実施例5と同様に、該マクロ基地局は、X2インターフェースによりホーム基地局と通信を行うことができる。
【００８９】
本実施例では、該構成情報は、第一MBMS構成情報、即ち、マクロセル中マルチメディアブロードキャストマルチキャストシングル周波数ネットワーク（MBSFN)サブフレームの位置情報を含んでも良い。
【００９０】
また、更に、第二MBMS構成情報を含んでも良く、該第二MBMS構成情報は、以下の情報のうちの１つ又は１つ以上を含んでも良く、即ち、MBMS制御チャネル構成変更指示情報、MBMS制御チャネル構成情報、MBMS制御チャネルに送信する、MBMSデータ受信に用いる物理ブロードキャストマルチキャストチャネルの関連情報を含むMBSFN領域構成情報、関連システム情報のスケジューリング情報、及びページングに関する情報である。
【００９１】
ステップ802：該構成更新メッセージ中のMBMS構成情報を得る。
【００９２】
ステップ803〜804は、実施例5のステップ704〜705に類似し、ここでは、詳しい説明を省略する。
【００９３】
図9は、本発明の実施例7におけるマルチメディアブロードキャストマルチキャストサービスの実現方法のフローチャートである。本実施例では、該マクロ基地局は、その移動管理実体（Mobility  Management  Entity、MME)により、ホーム基地局に、MBMS構成情報を含む構成更新メッセージを送信する。具体的な案は、次の通りである。
【００９４】
ステップ901：マクロ基地局MeNBは、マクロ基地局のMMEに更新後のMBMS構成情報を送信する。
【００９５】
本実施例では、マクロセルのMBMS構成の変更が発生した時に、該MeNBは、更新後のMBMS構成情報をMeNBのMMEシステムに送信し、そのうち、該MeNBとそのMMEとは、S1インターフェースシグナリングにより通信を行う。
【００９６】
本実施例では、該MeNBは、構成伝送メッセージにより、該MBMS構成情報を送信することができ、そのうち、該構成伝送メッセージは、構成更新メッセージを含み、該構成更新メッセージは、更新後のMBMS構成情報を含み、しかし、該メッセージに限定されず、他のメッセージにより該MBMS構成情報を送信しても良い。
【００９７】
本実施例では、該構成情報は、第一MBMS構成情報、即ち、マクロセルにおけるマルチメディアブロードキャストマルチキャストシングル周波数ネットワーク（MBSFN)サブフレームの位置情報を含んでも良い。
【００９８】
また、第二MBMS構成情報を更に含んでも良く、該第二MBMS構成情報は、以下の情報のうちの１つ又は１つ以上を含んでもよく、即ち、MBMS制御チャネル構成変更指示情報、MBMS制御チャネル構成情報、MBMS制御チャネルに送信する、MBMSデータ受信に用いる物理ブロードキャストマルチキャストチャネルの関連情報を含むMBSFN領域構成情報、関連システム情報のスケジューリング情報、及びページングに関する情報である。
【００９９】
ステップ902：該マクロ基地局のMMEは、ホーム基地局のMMEに該構成伝送メッセージを送信する。
【０１００】
ステップ903：該ホーム基地局のMMEは、該構成伝送メッセージをホーム基地局に送信する。
【０１０１】
ステップ904：該HeNBは、該構成伝送メッセージを受信し、該構成伝送メッセージ中のMBMS構成情報を得ることができる。
【０１０２】
そのうち、マクロ基地局が送信したMBMS構成情報には、第一MBMS構成情報、即ち、マクロセルにおけるマルチメディアブロードキャストマルチキャストシングル周波数ネットワーク（MBSFN)サブフレームの位置情報を含めば、該ホーム基地局は、該MBMS構成情報中のマクロセルにおけるマルチメディアブロードキャストマルチキャストシングル周波数ネットワーク(MBSFN)サブフレームの位置情報を得ることができる。
【０１０３】
該マクロ基地局が送信したMBMS構成情報には、更に第二MBMS構成情報を含めば、該ホーム基地局は、更に該第二MBMS構成情報を得ることもできる。
【０１０４】
ステップ905：該ホーム基地局は、該第一MBMS構成情報を得た後に、該MBMS構成情報中の位置情報に基いてCSGセルのABS又はABS+MBSFNサブフレームを構成することができ、これによって、該ABS又はABS+MBSFNサブフレームの位置は、マクロセル中のMBSFNサブフレームの位置に対応し得るようになり、図2A〜図2Cに示すようである。
【０１０５】
ステップ906：該ホーム基地局は、構成したABS又は（ABS+MBSFNサブフレーム）の情報をホーム基地局のユーザ装置にブロードキャストする。
【０１０６】
このように、該ホーム基地局のユーザ装置が該サブフレーム構成情報を得ることができ、該ユーザ装置UEがCSGセルにハンドオーバした後に又は該CSGセルのユーザ装置UEがMBMSを受信する時に、構成されたABS又は（ABS+MBSFNサブフレーム）にてマクロセルから送信したMBMSサービスを受信でき、これによって、ユーザ装置UEがCSGセルにハンドオーバした後に、MBMSサービスが中断することがなく、CSGセルのUEがマクロセルから送信したMBMSを受信できることを保証する。
【０１０７】
また、ステップ906で、マクロ基地局が更に第二MBMS構成情報を送信した場合、該ホーム基地局は該第二MBMS構成情報を得た後に、更に、該第二MBMS構成情報をユーザ装置にブロードキャストしても良いが、該ステップは、オプションである。
【０１０８】
図10は、本発明の実施例8におけるマルチメディアブロードキャストマルチキャストサービスの実現方法のフローチャートである。本実施例では、ホーム基地局がそのMMEによりマクロ基地局にMBMS構成情報をリクエストする。具体的な案は、次の通りである。
【０１０９】
ステップ1001〜ステップ1003：該ホーム基地局HeNBは、構成した伝送メッセージを順に、該ホーム基地局のMME及びマクロ基地局のMMEを経由して、該マクロ基地局MeNBに送信し、該マクロ基地局のMBMS構成情報を取得するようリクエストする。
【０１１０】
本実施例では、該構成伝送メッセージは、実施例7に記載の通りであり、ここでは、詳しい説明を省略する。
【０１１１】
ステップ1004〜ステップ1006：該マクロ基地局は、該構成伝送メッセージを得た後に、該マクロ基地局のMBMS構成情報をマクロ基地局のMMEによりホーム基地局のMMEに返し、最後に、ホーム基地局のMMEにより、該ホーム基地局に伝送することもできる。
【０１１２】
そのうち、該MBMS構成情報は、構成伝送レスポンスメッセージに含まれて、順に、該マクロ基地局のMME、該ホーム基地局のMME、及び該ホーム基地局に送信することができるが、上述のメッセージに限定されない。
【０１１３】
本実施例では、ステップ1007〜ステップ1009の過程は、実施例7におけるステップ904〜906の過程に類似し、ここでは、詳しい説明を省略する。
【０１１４】
図11は、本発明の実施例9におけるマルチメディアブロードキャストマルチキャストサービスの実現方法のフローチャートである。本実施例では、該ホーム基地局が該ホーム基地局のユーザ装置に、マクロセルのMBMS構成情報を得るようリクエストすることができる。具体的な案は、次の通りである。
【０１１５】
ステップ1101：ホーム基地局は、ホーム基地局のユーザ装置UEに、MBMS構成情報を得るためのリクエストメッセージを送信し、そのうち、該リクエストメッセージは、構成リクエストメッセージであってもよいが、このメッセージに限定されず、他の任意のメッセージを採用して送信しても良い。
【０１１６】
ステップ1102：該ホーム基地局のユーザ装置UEは、該リクエストメッセージを受信した後に、関連する情報を受信することにより、該マクロ基地局MeNBのMBMS構成メッセージを監視測定することができる。
【０１１７】
そのうち、監視測定は、従来技術における任意のものを採用してもよいので、ここでは、詳しい説明を省略する。
【０１１８】
ステップ1103：該ホーム基地局のユーザ装置は、監視測定したMBMS構成情報を該ホーム基地局HeNBに送信する。
【０１１９】
そのうち、構成レスポンスメッセージにより送信することができる。
【０１２０】
本実施例では、ステップ1104〜ステップ1106の過程は、実施例7におけるステップ904〜906の過程に類似し、ここでは、詳しい説明を省略する。
【０１２１】
図12は、本発明の実施例10におけるマルチメディアブロードキャストマルチキャストサービスの実現方法のフローチャートである。本実施例では、ホーム基地局のユーザ装置は、監視測定したマクロ基地局のMBMS構成情報を該ホーム基地局に送信する。具体的な案は、次の通りである。
【０１２２】
ステップ1201：ホーム基地局HeNBのユーザ装置は、マクロ基地局のMBMS構成情報を監視測定する。
【０１２３】
ステップ1202：該ユーザ装置は、該MeNBのMBMS構成情報の変更が発生した時に、能動的に、構成更新メッセージを該ホーム基地局HeNBに送信する。
【０１２４】
本実施例では、ステップ1203〜ステップ1205の過程は、実施例7におけるステップ904〜906の過程に類似し、ここでは、詳しい説明を省略する。
【０１２５】
上述の図4〜図12に記載の実施例では、更に、以下のオプションステップ（図示せず）を含んでもよく、例えば、図4では、ステップ401、402、405において、送信側がリクエストメッセージを受信側に送信し、受信側が更にそれ相応のレスポンスメッセージを送信することで、該送信側が送信したメッセージが正確に受信されているかどうかを通知することができる。他の実施例は類似するため、ここでは、詳しい説明を省略する。
【０１２６】
図13は、本発明の実施例11におけるマルチメディアブロードキャストマルチキャストサービスの実現方法のフローチャートである。図13に示すように、該方法は、次のステップを含む。
【０１２７】
ステップ1301：CSGセルのユーザ装置は、ホームネットワーク側実体が構成した第一ABS、又は、第一ABS及びMBSFNサブフレームにて、マクロセルのマルチメディアブロードキャストマルチキャストサービスを受信する。
【０１２８】
そのうち、該第一ABS、又は、第一ABS及びMBSFNサブフレームの位置は、マクロセルのMBSFNサブフレームの位置と同じであり、ホーム基地局の0AM又はホーム基地局により構成されても良く、例えば、上述の実施例10に記載のようであり、よって、設置された該第一ABS、又は、第一ABS及びMBSFNサブフレームにより、該CSGセルのユーザ装置UEがMBMSを受信できることを保証でき、又は、CSGセルにハンドオーバしたユーザ装置のMBMSサービスが中断しないことを保証できる。
【０１２９】
ステップ1302：該ユーザ装置は、ホームネットワーク側実体が構成した第二ABS、又は、第二ABS及びMBSFNサブフレームにて、マクロセルから送信した第二MBMS構成情報を受信する。
【０１３０】
そのうち、該ホームネットワークの0AMは、該第二ABS、又は、第二ABS及びMBSFNサブフレームを構成し、実施例2に記載のようであり、該第二ABS、又は、第二（ABS+MBSFNサブフレーム）の位置は、該マクロセルから送信した該第二MBMS構成情報のサブフレーム位置と同じである。
【０１３１】
そのうち、該第二MBMS構成情報は、以下の情報のうちの１つ又は幾つかを含み、即ち、MBMS制御チャネル構成変更指示情報、MBMS制御チャネル構成情報、MBMS制御チャネルに送信する、MBMSデータ受信に用いる物理ブロードキャストマルチキャストチャネルの関連情報のMBSFN領域構成情報、関連システム情報のスケジューリング情報、及びページングに関する情報である。
【０１３２】
ステップ1302により、該ユーザ装置UEは、構成された該第二ABS、又は、第二ABS及びMBSFNサブフレームにて、マクロセルから該第二MBMS構成情報を直接受信でき、これによって、該ユーザ装置UEが、構成情報が変化した場合でも、継続してMBMSサービスを受信できることを保証できる。
【０１３３】
上述の実施例では、ステップ1302はオプションステップである。また、該0AMは、更に、構成された第二ABS、又は、第二（ABS+MBSFNサブフレーム）を該ホーム基地局に通知し、その後、該ホーム基地局によりユーザ装置に通知することもできる。
【０１３４】
また、該ステップ1302は、更に、該ユーザ装置が、ホーム基地局がブロードキャストした該第二MBMS構成情報を受信するとのステップに置換されてもよい。
【０１３５】
本実施例では、該方法は、更に、該ユーザ装置が、ホーム基地局から送信した第一サブフレーム構成情報を受信することを含み、該第一サブフレーム構成情報は、該ホームネットワーク側実体が、取得したマクロセルのMBMS構成情報に基いて、CSGセルにおいて構成した第一ABS、又は、第一(ABS+MBSFNサブフレーム）の情報を含み、そのうち、該マクロセルのMBMS構成情報は、第一MBMS構成情報を含み、該第一MBMS構成情報は、マクロセル中のマルチメディアブロードキャストマルチキャストシングル周波数ネットワーク（MBSFN)サブフレームの位置情報を含む。そのうち、該ステップは、オプションステップである。
【０１３６】
本実施例では、該方法は、更に、該ユーザ装置が、ホーム基地局から送信した第二サブフレーム構成情報を受信することを含み、該第二サブフレーム構成情報は、該ホームネットワーク側実体が、取得したマクロセルの第二MBMS構成情報に基いて、CSGセルにおいて構成した第二ABS、又は、第二(ABS及びMBSFNサブフレーム）の位置情報を含む。そのうち、該第二サブフレーム構成情報は、ホーム基地局により構成されても良く、又は、ホームネットワークの0AMにより構成された後にホーム基地局に送信され、そして、該ホーム基地局によりユーザ装置に送信されてもよい。
【０１３７】
本実施例では、該ホーム基地局のユーザ装置UEは、更に、マクロ基地局のMBMS構成情報の変化状況を監視測定でき、該MBMS構成情報が変化した時に、更新後のMBMS構成情報を該ホーム基地局に送信し、これによって、該ホーム基地局は、該MBMS構成情報を得た後にサブフレーム構成を行い、このような場合、該方法は、更に、次のステップを含んでも良い。
【０１３８】
該ユーザ装置は、マクロセル中のMBMS構成情報の更新を監視測定し、更新後の前記マクロセルのMBMS構成情報を該ホーム基地局に送信する（具体的には、図12に示すステップ1201及び1202のようであり、ここでは、詳しい説明を省略する）。
【０１３９】
また、該ホーム基地局のユーザ装置は、更に、ホーム基地局のリクエストに基いて、マクロ基地局のMBMS構成情報に対して監視測定を行い、そして、監視測定したMBMS構成情報をホーム基地局に送信することもできる。このような場合、該方法は、更に、次のステップを含んでもよい。
【０１４０】
該ユーザ装置は、該ホーム基地局が送信した、マクロセルのMBMS構成情報を得るためのリクエストメッセージを受信し、該リクエストメッセージに基いて、該マクロセルのMBMS構成情報に対して監視測定を行い、そして、監視測定した該MBMS構成情報を該ホーム基地局に送信する（具体的には、図11に示すステップ110〜1103のようであり、ここでは、詳しい説明を省略する）。
【０１４１】
上述の実施例から分かるように、該CSGセルのホーム基地局又はホーム基地局の0AMは、マクロ基地局の、マクロセルのMBMSサブフレーム位置を含む第一MBMS構成情報を得ることができ、該第一MBMS構成情報に基いてCSGセルの第一ABS、又は、第一(ABS+MBSFNサブフレーム）のサブフレーム構成を行うことができ、このように、該ユーザ装置UEは、構成された該第一ABS、又は、第一ABS+MBSFNサブフレームにて、マクロセルのMBMSを受信することができ、該ユーザ装置UEがマクロセルからCSGセルにハンドオーバした後におけるMBMSの中断を避けることを保証でき、又は、該CSGセルのユーザ装置UEがMBMSを受信できることを保証できる。
【０１４２】
また、該CSGセルのホーム基地局又はホーム基地局の0AMが取得したMBMS構成情報は、該第一MBMS構成情報以外に、第二MBMS構成情報を更に含んでも良く、上述の実施例に記載のようである。このように、該ユーザ装置UEは、MBMSデータを受信した時に、制御チャネルの関連情報が変化した場合、該ユーザ装置UEは、依然として、該第二MBMS構成情報を得ることができ、これによって、MBMSデータの受信が中断しないようにさせる場合に、受信データの完全性を更に保証することができる。
【０１４３】
本発明の実施例は、ホーム基地局、ホーム基地局のネットワーク管理システム及びユーザ装置をも、次の実施例12、13及び実施例14に記載にように提供する。該ホーム基地局、ホーム基地局のネットワーク管理システム及びユーザ装置が問題を解決する原理は、上述のホーム基地局、ホーム基地局のネットワーク管理システム及びユーザ装置に基くマルチメディアブロードキャストマルチキャストの実現方法に類似し、よって、該ホーム基地局、ホーム基地局のネットワーク管理システム及びユーザ装置の実施は、方法の実施を参照できるため、ここでは、重複説明を省略する。
【０１４４】
図14は、本発明の実施例12におけるホーム基地局のネットワーク管理システムの構成図である。図14に示すように、該ネットワーク管理システム（0AM)は、第一情報取得ユニット1401及び第一サブフレーム構成ユニット1402を含む。
【０１４５】
第一情報取得ユニット1401は、マクロセルのMBMS構成情報を取得するために用いられ、該マクロセルのMBMS構成情報は、第一MBMS構成情報を含み、該第一MBMS構成情報は、マクロセル中のマルチメディアブロードキャストマルチキャストシングル周波数ネットワーク（MBSFN)サブフレームの位置情報を含み、該第一サブフレーム構成ユニット1402は、取得したMBMS構成情報に基いて、該CSGセルの、該マクロセルのMBSFNサブフレームの位置と同じ位置上のサブフレームを、第一オールモストブランクサブフレーム（ABS)として構成し、又は、第一オールモストブランクサブフレーム（ABS)及びマルチメディアブロードキャストマルチキャストシングル周波数ネットワーク(MBSFN)サブフレームとして構成するために用いられ、これによって、該ユーザ装置UEは、構成された第一ABS、又は、第一(ABS+MBSFNサブフレーム）上で、該マクロセルのマルチメディアブロードキャストマルチキャストサービスを受信することができる。
【０１４６】
本実施例では、該MBMS構成情報は、更に、第二MBMS構成情報を含んでも良く、該第二MBMS構成情報は、以下の情報のうちの１つ又は幾つかを含んでも良く、即ち、MBMS制御チャネル構成変更指示情報、MBMS制御チャネル構成情報、MBMS制御チャネルに送信する、MBMSデータ受信に用いる物理ブロードキャストマルチキャストチャネルの関連情報を含むMBSFN領域構成情報、関連システム情報のスケジューリング情報、及びページングに関する情報である。
【０１４７】
本実施例では、該ホーム基地局のネットワーク管理システムは、マクロセル、即ち、マクロ基地局から、該マクロセルのMBMS構成情報を得ることができる。
【０１４８】
本発明の実施例では、図14に示すように、該ネットワーク管理システム（0AM)は、更に、第一通知ユニット1403を含み、第一通知ユニット1403は、第一サブフレーム構成ユニット1402が構成した第一オールモストブランクサブフレーム（ABS)、又は、第二オールモストブランクサブフレーム（ABS)をホーム基地局に通知するために用いられ、該第一通知ユニット1403は、オプションである。
【０１４９】
本実施例では、該MBMS構成情報が第二MBMS構成情報を含む時に、図14に示すように、該ネットワーク管理システムは、更に、第二サブフレーム構成ユニット1404を含んでも良い。
【０１５０】
そのうち、第二サブフレーム構成ユニット1404は、該第二MBMS構成情報に基いて、限定加入者グループ（CSG)セルの、該マクロセルが送信した該第二MBMS構成情報のサブフレーム位置と同じ位置上のサブフレームを、第二オールモストブランクサブフレーム（ABS)として構成し、又は、第二オールモストブランクサブフレーム（ABS)及びマルチメディアブロードキャストマルチキャストシングル周波数ネットワーク（MBSFN)サブフレームとして構成するために用いられ、これによって、該ユーザ装置は、該第二ABS、又は、第二ABS+MBSFNサブフレーム上で、マクロセルから前記第二MBMS構成情報を受信することができる。該第二サブフレーム構成ユニット1404は、オプションである。このような場合、該第二サブフレーム構成ユニット1404が構成したサブフレーム情報は、第一通知ユニット1403により該ホーム基地局に通知され、該ホーム基地局によりユーザ装置に通知されても良い。本実施例では、第一、第二サブフレーム構成情報はともに、第一通知ユニット1403によりホーム基地局に通知されるが、このような方法に限定されず、第一、第二サブフレーム構成情報をそれぞれ異なる通知ユニットにより該ホーム基地局に通知してもよい。
【０１５１】
一実施例では、第一情報取得ユニット1401は、具体的に、マクロ基地局の0AMによりマクロ基地局が送信した、該MBMS構成情報を含む第一構成更新メッセージを受信するため用いられ、このように、該第一情報取得ユニット1401は、そのうちのMBMS構成情報を得ることができる。
【０１５２】
他の実施例では、図15は、第一情報取得ユニットの構成図である。図15に示すように、第一情報取得ユニット1401は、第一送信ユニット1501及び第一受信ユニット1502を含む。
【０１５３】
第一送信ユニット1501は、マクロ基地局の0AMに、MBMS構成情報を取得するための第一リクエストメッセージを送信するために用いられ、第一受信ユニット1502は、該マクロ基地局の0AMが該第一リクエストメッセージに基いて返した、該マクロ基地局から取得した、該MBMS構成情報を含む第一レスポンスメッセージを受信するために用いられる。その具体的な過程は、図5に示す実施例3のようであり、ここでは、詳しい説明を省略する。
【０１５４】
他の実施例では、図16は、第一情報取得ユニットの構成図である。図16に示すように、第一情報取得ユニット1401は、第二受信ユニット1601、第二送信ユニット1602及び第三受信ユニット1603を含む。
【０１５５】
第二受信ユニット1601は、ホーム基地局が送信した第一サブフレーム構成リクエストメッセージを受信するために用いられ、第二送信ユニット1602は、該第一サブフレーム構成リクエストメッセージに基いてマクロ基地局の0AMに、MBMS構成情報を取得するための第二リクエストメッセージを送信するために用いられ、第三受信ユニット1603は、前記マクロ基地局の0AMが該第二リクエストメッセージに基いて返した、該マクロ基地局から取得した、前記MBMS構成情報を含む第二レスポンスメッセージを受信するために用いられる。その具体的な過程は、図6に示す実施例4のようであり、ここでは、詳しい説明を省略する。
【０１５６】
図17は、本発明の実施例13におけるホーム基地局の構成図である。図17に示すように、該ホーム基地局は、第二情報取得ユニット1701及び第三サブフレーム構成ユニット1702を含み、その機能は、実施例12中のホーム基地局のネットワーク管理システム中の第一情報取得ユニット1401及び第一サブフレーム構成ユニット1402の機能に類似し、ここでは、詳しい説明を省略する。
【０１５７】
本実施例では、第二情報取得ユニット1701は、マクロセル又はCSGセルのユーザ装置UEから該マクロセルのMBMS構成情報を得ることができる。
【０１５８】
図17に示すように、該ホーム基地局は、更に、第二通知ユニット170を含み、それは、構成された第一オールモストブランクサブフレーム（ABS)、又は、第一オールモストブランクサブフレーム（ABS)を前記ホーム基地局のユーザ装置に通知するために用いられれる。また、該MBMS構成情報が更に第二MBMS構成情報を含む時に、該第二通知ユニット1703は、更に、該第二MBMS構成情報を該ユーザ装置に通知してもよい。
【０１５９】
一実施例では、第二情報取得ユニット1701は、具体的に、マクロ基地局が送信した、該MBMS構成情報を含む第二構成更新メッセージを受信するために用いられ、その具体的な過程は、図8に示す実施例6に記載のようであり、ここでは、詳しい説明を省略する。
【０１６０】
一実施例では、図18は、図17における第二情報取得ユニットの構成図である。図18に示すように、第二情報取得ユニット1701は、第三送信ユニット1801及び第四受信ユニット1802を含み、そのうち、第三送信ユニット1801は、マクロ基地局に、MBMS構成情報を得るための第三リクエストメッセージを送信するために用いられ、第四受信ユニット1802は、該マクロ基地局が該第三リクエストメッセージに基いて返した、MBMS構成情報を含む第三レスポンスメッセージを受信するために用いられ、その具体的な過程は、図7に示す実施例5に記載のようであり、ここでは、詳しい説明を省略する。
【０１６１】
他の実施例では、図19は、図17における第二情報取得ユニットの構成図である。図19に示すように、第二情報取得ユニット1701は、第四送信ユニット1901及び第五受信ユニット1902を含み、そのうち、第四送信ユニット1901は、ホーム基地局のユーザ装置に、MBMS構成情報を得るための第四リクエストメッセージを送信するために用いられ、第五受信ユニット1902は、該ユーザ装置が該第四リクエストメッセージに基いて返した、監視測定された該マクロセルのMBMS構成情報を含む第四レスポンスメッセージを受信するために用いられ、その具体的な過程は、図11に示す実施例9に記載のようであり、ここでは、詳しい説明を省略する。
【０１６２】
他の実施例では、第二情報取得ユニット1801は、具体的に、該ホーム基地局のユーザ装置が監視測定したマクロセルのMBMS構成情報を受信するために用いられる。その具体的な過程は、図12に示す実施例10に記載のようであり、ここでは、詳しい説明を省略する。
【０１６３】
他の実施例では、第二情報取得ユニット1801は、更に、具体的に、該ホーム基地局の移動管理実体（MME)により、マクロ基地局が該マクロ基地局のMMEにより送信した前記第二構成更新メッセージを受信するために用いられる。その具体的な過程は、図9に示す実施例7に記載のようであり、ここでは、詳しい説明を省略する。
【０１６４】
一実施例では、図18に記載の第三送信ユニット1801は、具体的に、ホーム基地局のMMEにより、マクロ基地局のMMEに、MBMS構成情報を取得するための第三リクエストメッセージを送信するために用いられ、これによって、該マクロ基地局は、該マクロ基地局のMMEにより該第三リクエストメッセージを得ることができ、このような場合、第四受信ユニット1802は、具体的に、該ホーム基地局のMMEにより、該マクロ基地局が該マクロ基地局のMMEにより返した該第三レスポンスメッセージを受信するために用いられる。その具体的な過程は、図10に示す実施例8に記載のようであり、ここでは、詳しい説明を省略する。
【０１６５】
図20は、本発明の実施例14におけるユーザ装置の構成図である。図20に示すように、該ユーザ装置は、サービス受信ユニット2001を含み、サービス受信ユニット2001は、ホームネットワーク側実体が構成した第一ABS、又は、第一（ABS及びMBSFNサブフレーム）にて、マクロセルのマルチメディアブロードキャストマルチキャストサービスを受信するために用いられ、そのうち、該第一ABS、又は、第一ABS及びMBSFNサブフレームの位置は、マクロセルのMBSFNサブフレームの位置と同じである。
【０１６６】
図20に示すように、ホーム基地局の0AMがサブフレーム情報を構成した時に、該ユーザ装置は、更に、情報受信ユニット2002を含んでもよく、情報受信ユニット2002は、ホームネットワーク側実体が構成した第二ABS、又は、第二（ABS及びMBSFNサブフレーム）にて、マクロセルが送信した第二MBMS構成情報を受信するために用いられ、該第二ABS、又は、第二（ABS及びMBSFNサブフレーム）の位置は、前記マクロセルが前記第二MBMS構成情報を送信するサブフレーム位置と同じである。
【０１６７】
或いは、ホーム基地局が第二構成情報をブロードキャストした場合、情報受信ユニット2002は、ホーム基地局がブロードキャストした該第二MBMS構成情報を受信するために用いられる。該情報受信ユニット2002は、オプションユニットである。
【０１６８】
そのうち、前記第二MBMS構成情報は、以下の情報のうちの１つ又は幾つかを含み、即ち、MBMS制御チャネル構成変更指示情報、MBMS制御チャネル構成情報、MBMS制御チャネルに送信する、MBMSデータ受信に用いる物理ブロードキャストマルチキャストチャネルの関連情報を含むMBSFN領域構成情報、関連システム情報のスケジューリング情報、及びページングに関する情報である。
【０１６９】
本実施例では、該ユーザ装置は、更に、第一構成情報受信ユニット（図示せず）を含んでも良く、該第一構成情報受信ユニットは、ホーム基地局が送信した第一サブフレーム構成情報を受信するために用いられ、該第一サブフレーム構成情報は、前記ホームネットワーク側実体が、取得したマクロセルのMBMS構成情報に基いて、CSGセルにおいて構成した第一ABS、又は、第一ABS及びMBSFNサブフレームの情報を含み、そのうち、前記マクロセルのMBMS構成情報は、第一MBMS構成情報を含み、前記第一MBMS構成情報は、マクロセル中のマルチメディアブロードキャストマルチキャストシングル周波数ネットワーク(MBSFN)サブフレームの位置情報を含み、これによって、該ユーザ装置は、該サブフレーム位置にてMBMSを受信することができる。
【０１７０】
オプションで、該ユーザ装置は、更に、第二構成情報受信ユニット（図示せず）を含んでも良く、該第二構成情報受信ユニットは、ホーム基地局が送信した第二サブフレーム構成情報を受信するために用いられ、該第二サブフレーム構成情報は、前記ホームネットワーク側実体が、取得たマクロセルの第二MBMS構成情報に基いて、CSGセルにおいて構成した第二ABS、又は、第二（ABS及びMBSFNサブフレーム）の情報を含み、これによって、該ユーザ装置は、該サブフレーム位置で第二MBMS構成情報を受信することができる。
【０１７１】
図20に示すように、該ユーザ装置は、更に、第一監視測定ユニット2003及び第五送信ユニット2004を含んでもよく、そのうち、第一監視測定ユニット2003は、マクロセルのMBMS構成情報を監視測定するために用いられ、第五送信ユニット2004は、マクロセル中のMBMS構成情報の更新を検出した時に、更新後の前記マクロセルのMBMS構成情報を前記ホーム基地局に送信するために用いられる。
【０１７２】
図20に示すように、該ユーザ装置は、更に、第六受信ユニット2005、第二監視測定ユニット2006、及び第六送信ユニット2007を含んでも良く、そのうち、第六受信ユニット2005は、ホーム基地局が送信した、マクロセルのMBMS構成情報を得るためのリクエストメッセージを受信するために用いられ、第二監視測定ユニット2006は、該リクエストメッセージに基いて、前記マクロセルのMBMS構成情報を監視測定するために用いられ、第六送信ユニット2007は、監視測定された前記MBMS構成情報を前記ホーム基地局に送信するために用いられる。
【０１７３】
そのうち、該第一監視測定ユニット2003及び第五送信ユニット2004、並びに、第六受信ユニット2005、第二監視測定ユニット2006、及び第六送信ユニット2007は、オプションユニットであり、該ユーザ装置は、上述のユニットを含まなくてもよく、又は、そのうちの一組を含んでも良い。
【０１７４】
上述の実施例から分かるように、該CSGセルのホーム基地局又はホーム基地局の0AMは、マクロ基地局の、マクロセルのMBSFNの位置を含む第一MBMS構成情報を得ることができ、該第一MBMS構成情報に基いて、CSGセルの第一ABS、又は、第一（ABS+MBSFNサブフレーム）のサブフレーム構成を行うことができ、このように、該ユーザ装置UEは、構成された該第一ABS、又は、第一（ABS+MBSFNサブフレーム）上でマクロセルのMBMSを受信することができ、これによって、該ユーザ装置UEがマクロセルからCSGセルにハンドオーバした後におけるMBMSの中断を避けることができ、又は、該CSGセルのユーザ装置がMBMSを受信できることを保証できる。
【０１７５】
また、該CSGセルのホーム基地局又はホーム基地局の0AMは、更に、第二MBMS構成情報を得ることができ、上述の実施例に記載のようである。このように、該ユーザ装置UEがMBMSデータを受信した時に、制御チャネルの関連情報が変化した場合、該ユーザ装置UEは更に、それ相応の情報を得ることができ、これによって、MBMSデータの受信が中断しないようにさせる場合、受信データの完全性を更に保証できる。
【０１７６】
本実施例では、例えば、マクロセルのMBMSを受信中のユーザ装置がマクロセルから限定加入者グループCSGにハンドオーバした時に、又は、CSGセル中のUEがMBMSを受信しようとする時に、又は、CSGのUEがMBMSサービスを受信し始める時に、すべては、本発明の実施例の上述のMBMSの実現方法を採用することができる。
【０１７７】
本発明の実施例は更に、コンピュータ可読プログラムを提供し、そのうち、ホーム基地局のネットワーク管理システムにおいて、該プログラムを実行する時に、該プログラムは、コンピュータに、該ホーム基地局のネットワーク管理システムにおいて実施例1〜4に記載のマルチメディアブロードキャストマルチキャストサービスの実現方法を実行させる。
【０１７８】
本発明の実施例は更に、コンピュータ可読プログラムを記憶した記憶媒体を提供し、そのうち、該コンピュータ可読プログラムは、コンピュータに、ホーム基地局のネットワーク管理システムにおいて実施例1〜4に記載のマルチメディアブロードキャストマルチキャストサービスの実現方法を実行させる。
【０１７９】
本発明の実施例は更に、コンピュータ可読プログラムを提供し、そのうち、ホーム基地局において該プログラムを実行する時に、該プログラムは、コンピュータに、該ホーム基地局において実施例1、5〜10に記載のマルチメディアブロードキャストマルチキャストサービスの実現方法を実行させる。
【０１８０】
本発明の実施例は更に、コンピュータ可読プログラムを記憶した記憶媒体を提供し、そのうち、該コンピュータ可読プログラムは、コンピュータに、該ホーム基地局において実施例1、5〜10に記載のマルチメディアブロードキャストマルチキャストサービスの実現方法を実行させる。
【０１８１】
本発明の実施例は更に、コンピュータ可読プログラムを提供し、そのうち、ユーザ装置において該プログラムを実行する時に、該プログラムは、コンピュータに、該ユーザ装置において上述の実施11に記載のマルチメディアブロードキャストマルチキャストサービスの実現方法を実行させる。
【０１８２】
本発明の実施例は更に、コンピュータ可読プログラムを記憶した記憶媒体を提供し、そのうち、該コンピュータ可読プログラムは、コンピュータに、該ユーザ装置において上述の実施例11に記載のマルチメディアブロードキャストマルチキャストサービスの実現方法を実行させる。
【０１８３】
図13〜20について説明した説明した機能ブロック中の１つ又は複数、及び/又は、機能ブロックの１つ又は複数の組み合わせは、本出願に記載の機能を実行するための汎用処理器、デジタル信号処理器（DSP)、専用集積回路（ASIC)、FPGA、又は、他のプログラミング可能なロジック部品、独立したゲート又はトランジスタによるロジック部品、独立したハードウェア部品又はそれらの任意の適切な組みわせとして実現され得る。また、計算装置の組み合わせ、例えば、DSP及びマイクロ処理器の組み合わせ、複数のマイクロ処理器、DSPと通信結合される１つ又は複数のマイクロ処理器又は任意の他のこの種の構成として実現され得る。
【０１８４】
また、本出願では、本発明の特定の例が記載されているが、当業者は、本発明の概念から離脱しない限り、本発明の変形を設計することもできる。
【０１８５】
本発明の上述の装置及び方法は、ハードウェアにより実現されてもよく、ハードウェアとソフトウェアとの組み合わせにより実現されてもよい。また、本発明は、このようなコンピュータ可読なプログラムにも関し、即ち、該プログラムは、ロジック部により実行されている時に、該ロジック部に、上述の装置又は構成部品を実現させることができ、又は、該ロジック部に、上述の各種方法又はステップを実現させることができる。ロジック部品は、例えば、FPGA部品、マイクロプロセッサー、コンピュータに用いる処理器等であっても良い。本発明は、更に、上述のプログラムを記録している記憶媒体、例えば、ハードディスク、磁気ディスク、光ディスク、DVD、flashメモリなどにも関する。
【０１８６】
以上、本発明の好ましい実施形態を説明したが、本発明はこの実施形態に限定されず、本発明の趣旨を離脱しない限り、本発明に対するあらゆる変更は本発明の技術的範囲に属する。
【図１】
2014532339.tif 000003
【図２】
2014532339.tif 000004
【図３】
2014532339.tif 000005
【図４】
2014532339.tif 000006
【図５】
2014532339.tif 000007
【図６】
2014532339.tif 000008
【図７】
2014532339.tif 000009
【図８】
2014532339.tif 000010
【図９】
2014532339.tif 000011
【図１０】
2014532339.tif 000012
【図１１】
2014532339.tif 000013
【図１２】
2014532339.tif 000014
【図１３】
2014532339.tif 000015
【図１４】
2014532339.tif 000016
【図１５】
2014532339.tif 000017
【図１６】
2014532339.tif 000018
【図１７】
2014532339.tif 000019
【図１８】
2014532339.tif 000020
【図１９】
2014532339.tif 000021
【図２０】
2014532339.tif 000022
【国際調査報告】
2014532339.tif 000023
2014532339.tif 000024
2014532339.tif 000025
2014532339.tif 000026